(57)【要約】  本発明は、弾性的に伸張可能な繊維布地から成る少なくとも１つのベース布地領域と繊維布地の皮膚に面した側に設けられた複数のウェブによって形成された圧迫のための手段を有する少なくとも１つの圧迫領域（１，２，４，５，６，１１）とを備えた、皮膚上に着用するスポーツ用衣服（１０）に関する。前記圧迫領域（１，２，４，５，６，１１）は身体半部に関して非対称に分配されて、当該スポーツ用衣服（１０）の、胴体（２０）および／または上肢および／または下肢（２１，２２，２３，２４）のために設けられた領域に配置されている。
2014516122.tif 000002
【特許請求の範囲】
【請求項１】
弾性的に伸張可能な繊維布地から成る少なくとも１つのベース布地領域と、
前記繊維布地の皮膚に面した側に設けられた複数のウェブによって形成された圧迫のための手段を有する少なくとも１つの圧迫領域（１，２，４，５，６，１１）と
を備えた、皮膚上に着用するスポーツ用衣服（１０）であって、
前記圧迫領域（１，２，４，５，６，１１）は身体半部に関して非対称に分配されて、当該スポーツ用衣服（１０）の、胴体（２０）および／または上肢および／または下肢（２１，２２，２３，２４）のために設けられた領域に配置されていることを特徴とする、スポーツ用衣服。
【請求項２】
当該スポーツ用衣服が、長袖シャツとして形成されており、第１の圧迫領域（１）は、第１の身体半部の腕部（２１）および／または肩部（２３）に延在していて、それぞれ他方の身体半部の腕部（２２）または肩部（２４）に延在している第２の圧迫領域（２）に比べて、厚く形成されたウェブと、高められた弾性係数とを有している、請求項１記載のスポーツ用衣服。
【請求項３】
当該スポーツ用衣服が、打撃道具を使用する種類のスポーツに用いられる長袖シャツとして形成されており、このために、ガイド腕の側で肩部および上腕部には強い圧迫を有する領域が設けられていて、ヒット腕の側には、筋肉組織が圧迫手段によってあまり強く押圧されない領域が設けられている、請求項１または２記載のスポーツ用衣服。
【請求項４】
当該スポーツ用衣服が、ズボンとして形成されており、第１の圧迫領域は、第１の身体半部の脚部に配置されており、別の身体半部の脚部に配置された第２の圧迫領域におけるよりも厚く形成されたウェブと、高い弾性係数とを有している、請求項１記載のスポーツ用衣服。
【請求項５】
前記ウェブは、材料厚さを増大することにより形成されている、請求項１から４までのいずれか１項記載のスポーツ用衣服。
【請求項６】
前記ウェブは、ほぼ三角形の形状を有している、請求項１から５までのいずれか１項記載のスポーツ用衣服。
【請求項７】
前記ウェブは、コーティングを備える、請求項１から６までのいずれか１項記載のスポーツ用衣服。
【請求項８】
前記ウェブは、圧縮可能かつ遅れて伸張可能な材料から形成されているか、または圧縮可能かつ遅れて伸張可能な材料でコーティングされている、請求項１から７までのいずれか１項記載のスポーツ用衣服。
【請求項９】
前記ウェブは、その長手方向の延在部分に中断部分を有している、請求項１から８までのいずれか１項記載のスポーツ用衣服。
【請求項１０】
交差するバンデージ帯から成るＸ字形のバンデージが肘関節の領域にまたは膝関節の領域に配置されている、請求項１から９までのいずれか１項記載のスポーツ用衣服。
【発明の詳細な説明】
【技術分野】
【０００１】
本発明は、弾性的に伸張可能な繊維布地（textil. Gewebe）から成る少なくとも１つのベース布地領域と、繊維布地の皮膚に面した側に設けられた複数のウェブにより形成されている圧迫のための手段を有する少なくとも１つの圧迫領域とを備えた、スポーツ用衣服に関する。
【０００２】
このようなスポーツ用衣服は、国際公開第２０１００４６１３０号明細書から公知である。スポーツ用衣服は、血液循環と、筋肉組織の安定化とを促進する。部分圧迫とは、面状の圧迫に対して、皮膚への圧力をウェブを介して作用させる圧迫形態である。ウェブは、ベース布地よりも大きな厚みを備えるか、またはベース布地へのその他の補填により増厚され、相応して比較的高く盛り上がっている繊維布地の領域によって形成されている。ベース布地の弾性により、ウェブの角部が皮膚表面に押し当てられるのに対して、ウェブの角部の間に位置している皮膚領域は圧迫されず、せいぜいベース布地と皮膚との極めて軽い接触が生じるだけである。理想的には、ベース布地が、ウェブの間で緊張されて、皮膚から持ち上げられている。したがって、汗がウェブの間の領域で直接に皮膚上で蒸発することができるので、身体の良好な冷却が保証され得る。
【０００３】
公知のスポーツ用衣服は、一般的かつ全面的な筋肉負荷にとって効果的であることが示されているが、衣服で覆われた筋肉組織全体に対する圧迫領域による高い外的なプリロードに基づいて、全ての負荷種類およびスポーツ種類にとって同様に良好に適しているわけではない。
【０００４】
本発明の課題は、公知のスポーツ用衣服を改良して、特に典型的には非対称の運動動作がある場合に最適なサポートを提供することができるようにすることである。
【０００５】
上記課題は、請求項１の特徴部に記載の特徴を有するスポーツ用衣服により解決される。
【０００６】
本発明の対象は、同時に種々異なる種類の圧迫、つまり面状圧迫、部分圧迫、強い圧迫および弱い圧迫を有する衣服である。複数の領域における構造は、互いに異なる程度にリブを付与されていてよく、つまり多かれ少なかれ密に配置されたリブを有していてよい。個々のリブの間の中間空間は同じく互いに異なる幅であってよい。特定の領域では、リブの間の材料が比較的薄くてよく、これにより、体熱の放射または汗の蒸発をさらに改善することができる。
【０００７】
互いに異なる圧迫形式は、身体の種々異なる領域にわたって形成されている。これらの領域は非対称に配置されていて、特に腕部範囲および脚部範囲に配置されている。このことは、たとえばゴルフのような、身体に非対称な負荷を引き起こす種類のスポーツにおいて効力を発揮する。
【０００８】
たとえばゴルフ競技では、ガイド腕とヒット腕とがある。ゴルフスイングを最適に実施することができるように、運動動作は極めて均一かつ正確でなければならない。特に腕部および脚部に非対称に配置された圧迫領域は、スイングを最適に実施することを支援する。スイング中に、非対称に配置された圧迫領域は、スポーツ用衣服に設けられた領域に覆われた筋肉群の負荷に応じて、筋肉組織をサポートし、暖めかつ冷却する。
【０００９】
この場合、本発明によれば、一般的にガイドおよび方向付与のために働く筋肉群を比較的強く圧迫することが規定される。なぜならば、比較的強い圧迫を有する１つまたは複数の領域により筋肉振動が低減されるからである。これに対して、本発明によれば、比較的強く負荷される筋肉部分はあまり強く圧迫されない。強く負荷される筋肉部分では、むしろ皮膚からの熱および湿度の容易かつ迅速な周辺への排出という観点がある。
【００１０】
このことは、ゴルフ競技の例において、有利には長袖シャツとして形成され、右利き用に適合されたスポーツ用衣服が、左側の身体半部に設けられた肩部および上腕部に、つまりいわゆるガイド腕の領域に、強い圧迫を備える領域を有していることを意味している。これに対して、右利きの場合には通常は右側であるヒット腕の側では、筋肉組織が圧迫手段によってあまり強く負荷されない領域が設けられている。
【００１１】
この機能は、当然ではあるが、たとえばテニス、アイスホッケー、ボーリング、野球、ハンドボール、ビリヤード等のような非対称の負荷を有するスポーツの種類に応じて種々様々な要求に適合させることができる。
【００１２】
本発明を以下で図面に関連して詳しく説明する。
【図面の簡単な説明】
【００１３】
【図１】本発明により形成されたシャツを前から見た図である。
【図２】本発明により形成されたシャツを後ろから見た図である。
【００１４】
図１には、長袖シャツとして形成されたスポーツ用衣服１０が正面から図示されている。スポーツ用衣服において、符合２０で胴体部分が示され、符合２１，２２で腕部分が示され、符合２３，２４で肩部分が示されている。
【００１５】
スポーツ用衣服は、領域１，２，３，４，５に分けられている。本発明にとって重要なのは、特に領域１，２，５，６の非対称な構造である。各領域の構造は以下の通りである。
【００１６】
右肩部２３および右上腕部２１の範囲の領域１：
−右上腕部２１および右肩部２３における、ファインニット（Feinstrick）を備える部分圧迫部。
−比較的大きな間隔を有する複数のウェブおよび中間空間におけるファインニット。
−機能：複数のウェブを介した部分圧迫の形成。中間空間では皮膚上の汗が蒸発することができる。熱はファインニット構造を介して放射され得る。
【００１７】
左肩部２４および左上腕部２６の範囲の領域２：
−名称：肩部２４における部分圧迫部。
−特徴：小さな間隔を有する複数のウェブ。
−機能：複数のウェブを介した部分圧迫の形成。中間空間では皮膚上の汗が蒸発することができる。
【００１８】
右前腕部の領域５：
−名称：前腕部におけるファインニットを備えた部分圧迫部。
−特徴：比較的大きな間隔を有する複数のウェブおよび中間空間におけるファインニット。
−機能：複数のウェブを介した部分圧迫の形成。中間空間では皮膚上の汗が蒸発することができる。熱は、ファインニット構造を介して放射され得る。
【００１９】
左前腕部の領域６：
−特徴：ベース布地のみ。圧迫なし。
【００２０】
同様に、ただし対称的な筋肉部分の圧迫のために、胸部範囲の領域４および背中範囲の領域１１が働く。
【００２１】
領域４：
−名称：胸部範囲におけるファインニットを有する部分圧迫部。
−特徴：比較的大きな間隔を有する複数のウェブおよび中間空間におけるファインニット。
−機能：複数のウェブを介した部分圧迫の形成。中間空間では皮膚上の汗が蒸発することができる。熱はファインニット構造を介して放射され得る。
【００２２】
領域１１：
−名称：肩甲骨におけるファインニットを有する部分圧迫部。
−特徴：比較的大きな間隔を有する複数のウェブおよび中間空間におけるファインニット。
−機能：複数のウェブを介した部分圧迫の形成。中間空間では皮膚上の汗が蒸発することができる。熱はファインニット構造を介して放射され得る。
【００２３】
さらに以下の機能領域が存在している。
【００２４】
右肘関節における領域３：
−名称：Ｘクロス型のバンデージ。
−特徴：肘関節を中心としたＸ字形のバンデージ。
−機能：関節の安定化および関節における靱帯および腱の支援。
【００２５】
肘関節における領域８，９：
−名称：伸張リブ。
−特徴：リブ状の構造。
−機能：伸張リブは曲げられた状態でも独立した中間空間を維持する。
【図１】
2014516122.tif 000003
【図２】
2014516122.tif 000004
【国際調査報告】
2014516122.tif 000005
2014516122.tif 000006
2014516122.tif 000007
2014516122.tif 000008
2014516122.tif 000009
2014516122.tif 000010